(57)【要約】      （修正有）【課題】前段から次段の電柱間のスパンのケーブル沿線ハンガーに、地上操作によって、ケーブル牽引紐先導具を移行することのできる操作具を提供する。【解決手段】適宜の長さの棒杆状の支持杆１の上端に基材を横設し、該基材に上端側開口のＵ字形の支持片５，６を設ける。そして、支持片５，６に係合受支させたケーブル用牽引紐先導具１００の、一対の挟持片がばね付勢によって回動して挟持する挟持手段を前記基材に設ける。また、前記挟持片には、前記ばね付勢に抗して該挟持片を地上操作によって回動させる操作紐を連けいさせる。【選択図】図１
2008079369.tif 000002
【特許請求の範囲】
【請求項１】
適宜の長さの棒杆状の支持杆の上端に基材を横設し、該基材に上端側開口のＵ字形の支持片を設け、この支持片に係合受支させたケーブル用牽引紐先導具の、一対の挟持片がばね付勢によって回動して挟持する挟持手段を前記基材に設けると共に、前記挟持片には、前記ばね付勢に抗して該挟持片を地上操作によって回動させる操作紐を連けいさせた、ケーブル用牽引紐先導具の操作具。
【発明の詳細な説明】
【技術分野】
【０００１】
ケーブルの延長（架設）施工として、ケーブル用吊線（概し、メッセンジャーワイヤー）に巻回支持させた螺旋状のケーブル延線用ハンガーに、牽引紐通し具を用いて牽引紐を通して一方の電柱側から他方の電柱間にわたし、一方の電柱側の牽引紐の端末に接続したケーブルを、牽引紐通し具を用いて他方の電柱側に配した牽引紐の先端を牽引することによりケーブルを電柱間に架設することが行われているが、本発明は、前記牽引紐通し具を地上から操作するために用いる操作具に関するものである。
【背景技術】
【０００２】
前記の延長施工は、一対の電柱間のスパンにおいては事足りるが、複数のスパンにわたる場合は、前段のスパンと次段のスパンそれぞれのケーブル延線用ハンガーは互いに連続性がないため、牽引紐先導具（例えば、特許文献１）を前段から次段のスパンへと連続的に送り込むことができない。
【０００３】
そのため、スパン間の電柱上で、前段から次段のケーブル延線用ハンガー部に先導具先端に送り込む作業を必要としている。
【０００４】
【特許文献１】特許第３５０９６０９号公報
【発明の開示】
【発明が解決しようとする課題】
【０００５】
前段のスパンのケーブル延線用ハンガーから次段のスパンのケーブル延線用ハンガーに牽引紐先導具を通すには柱上での作業を必要とするため、危険性が伴い、煩雑でもある。
【０００６】
本発明は斯様な常況を勘案し、地上において、前段から次段のスパンのケーブル延線用ハンガーに牽引紐先導具を移動、組合わせのできる操作具を提供することを目的として創案したのである。
【課題を解決するための手段】
【０００７】
適宜の長さの棒杆状の支持杆の上端に基材を横設し、該基材に上端側開口のＵ字形の支持片を設け、この支持片に係合受支させたケーブル用牽引紐先導具の、一対の挟持片がばね付勢によって回動して挟持する挟持手段を前記基材に設けると共に、前記挟持片には、前記ばね付勢に抗して該挟持片を地上操作によって回動させる操作紐を連けいさせた構成としたものである。
【発明の効果】
【０００８】
本発明によれば、地上における操作紐の操作によって支持杆の上端部の挟持手段を動作させてケーブル用牽引紐先導具の挟持、解放を自在に行うことができ、従って、前段から次段の電柱間のスパンのケーブル延線用ハンガーに牽引紐先導具を、地上において、移行させることができ、延線作業上、好適なケーブル用牽引紐先導具の操作具を提供できる。
【実施例】
【０００９】
図面は本発明に係るケーブル用牽引紐先導具の操作具の一実施例を示し、図１は使用時の状態を示す正面図、図２は要部の正面図、図３は図２の側面図である。
【００１０】
本発明に係るケーブル用牽引紐先導具の操作具Ａは、棒杆状の操作杆１（伸縮自在になっている）の上端に操作材２を取付けて構成したもので、図中、３は操作材２の主体杆で、操作材２はこの主体杆３において操作杆１の上端に取付けられ、操作具Ａを構成する。
【００１１】
前記主体杆３の上端には、主体杆３と同様のステンレス鋼棒で成る基材４を横設し、該基材４の先後両端部に支持片５，６を立設してある。
【００１２】
先側支持片５は、Ｕ字形に屈曲したステンレス鋼棒で成り、その中央部を前記基材４に熔接して設けたもので、また、後側支持片６はＵ字形に屈曲したステンレス鋼棒の両端を、互いに離開する方向に更に折り曲げて構成したＵ字形杆体で構成したもので、これら先後の支持片５，６のＵ字形内に先導具１００を係合して受支させるようにしてある。
【００１３】
図中、７は先側支持片５と主体杆３との中間の基材４部分に、各基材４を上端側に貫通させるようにして熔接して吊設した操作基板で、該操作基板７の長手（上下）方向に沿う中央の上部側に支軸８を設け、この支軸８より下部側にして前記基板７に設けた縦長の案内長孔９に摺嵌して縦動軸１０を設け、該縦動軸１０と前記支軸８との間に引張りばね１１を張設し、支軸８に上端を取付けた操作紐１２の下端を地上で牽引することにより、前記縦動軸１０は引張りばね１１の付勢に抗して前記案内長孔９に沿って降下するようにしてある。
【００１４】
そして、前記縦動軸１０に一対の作動片１３，１３の下端部を取付け、該作動片１３，１３の上端部を挟持片１４，１４の腕部片１４ｂ，１４ｂの先端に接続軸１５で揺動自在に接続してある。
【００１５】
挟持片１４は、やや釣り針状に円曲させた主体部片１４ａの下部側の外側縁に前記の腕部片１４ｂを突設して構成したもので、主体部片１４ａの円曲形の内側縁側を相対向するようにして配した一対のものを下端部において前記支軸８に組付けて前記操作基板７に回動自在に枢着し、腕部片１４ｂの自由端側の先端を、前記の通り、作動片１３の上端部に揺動自在に枢着して操作基板７と作動片１３との間に介在（架設）させたもので、前記引張りばね１１の付勢によって主体部片１４ａ，１４ａ同士が互いに交差状に重なりあって、該交差部ｐと前記支持区８との間に前記先導具１００の挟持間隙ａを形成するようにしたものである。
【００１６】
実施例の先導具Ａは、電柱間に張架したケーブル用吊線ｍに巻回支持させた、螺旋状のケーブル延線用ハンガーｈの螺旋状の内側に一方の電柱側から嵌挿し、後端に取付けたばね性線体ｃを前記一方の電柱側から押圧すると、他の電柱側に移動し、他の一方の電柱側の前記吊線ｍの端末から突出することになる。
【００１７】
そして、操作杆１に沿わせて地上に配した操作紐１２の端末を牽引すると、該操作紐１２の上側の端末を取付けた縦動軸１０は長孔９に沿って降下し、この縦動軸１０の降下に伴って作動片１３も降下し、作動片１３の上端に接続軸１５によって腕部片１４ｂの先端において接続した各挟持片１４，１４の主体部片１４ａ，１４ａは支軸８を中心にして互いに反対方向に回動し、互いに交差状に重なり合った状態から拡開状態へと変位する。
【００１８】
この状態を保持した状態でハンガーｈの端末より突出する先導具１００を（ハンガーｈからの突出状態は先導具１００に先端を取付けたばね性線体ｃの後端側を手先で保持しておくことにより保持される）、先後の支持片５，６に下側から係合するようにして操作具Ａを操作杆１において押し上げると、支持片５，６間に存する、拡開状態の挟持片１４，１４間に先導具１００の中間部は介在されることになり、引張りばね１１の付勢に抗した操作紐１２の牽引を解くと、引張りばね１１が縦動軸１０を案内長孔９に沿って縦動せしめ、この結果、作動片１３は、挟持片１４の腕部片１４ｂを押し上げ、該腕部片１４ｂを備えた主体部片１４ａ，１４ａは支軸８を中心にして回動し、原位置すなわち互いに交差状に重なり合って挟持間隙ａを形成して先導具１００を挟持する。
【００１９】
そして、前段のスパン側の螺旋状のハンガーｈの後端側から、該後端から間隙を存して配した次段のスパン側の既設の螺旋状ハンガーｈの先端側に、操作具Ａで保持して先導具１００を嵌挿し（図１の２点鎖線で示す）、再び、操作紐１２を牽引して、先導具１００を操作材２による保持状態から解放し、前段側のスパンの電柱間にわたした、ばね性線体ｃを押圧すると、次段のスパンのハンガーｈに嵌挿した先導具１００は該ハンガーｈ内を吊線ｍに沿って前進することができるのである。
【００２０】
図中、ｄは電柱、Ｓａは前段のスパン部、Ｓｂは次段のスパン部をそれぞれ示す。
【図面の簡単な説明】
【００２１】
【図１】使用時の状態を示す正面図。
【図２】要部の正面図。
【図３】図２の側面図。
【符号の説明】
【００２２】
１          支持杆
４          基材
５，６      支持片
１３        操作紐
１４        挟持片
１００      ケーブル用牽引紐先導具
【図１】
2008079369.tif 000003
【図２】
2008079369.tif 000004
【図３】
2008079369.tif 000005